(57)【特許請求の範囲】
【請求項１】
曲データを登録することにより、着信時に所望のメロディーを鳴動させる様にした親子電話機において、
子機側に着信時のメロディーを登録するに際して、
親機に登録してある曲の先頭部分の曲データだけを親機から子機へと送信させる曲データ先頭部分ダウンロード手段と、
該ダウンロードされた曲の先頭部分の曲データを子機側で再生をする子機側再生手段と、
該子機側再生手段による再生を確認した上で当該子機へ登録する曲の選択を行う子機側着信メロディー選択手段と、
該子機側着信メロディー選択手段により選択された曲について、その全体の曲データを親機から子機へと送信させる曲データ全体ダウンロード手段と
を備え、
前記曲データ先頭部分ダウンロード手段が、親機に登録してある全ての曲の先頭部分の曲データを子機へと送信させる手段として構成され、
前記子機側再生実行手段が、前記全ての曲の先頭部分の曲データの再生を実行する手段として構成されていること
を特徴とする親子電話機。
【請求項２】
親機と子機とを備え、親機及び子機のそれぞれにおいて、曲データを登録することにより、着信時に所望の着信メロディーを鳴動させる様にした親子電話機において、
前記子機側に、
前記親機に対して、着信メロディーの候補曲の先頭部分の曲データだけの送信を要求する曲データ先頭部分送信要求手段と、
前記親機から送信されてきた前記先頭部分の曲データを再生する先頭部分曲データ再生手段と、
前記親機に対して、着信メロディーとして選択した曲の全体の曲データの送信を要求する曲データ全体送信要求手段と、
前記親機から送信されてきた前記全体の曲データを着信メロディーとして登録する子機側着信メロディー記憶手段とを備え、
前記親機側に、
該親機で着信メロディーとして使用し得る多数の曲の曲データを登録しておく着信メロディー候補記憶手段と、
前記子機の曲データ先頭部分送信要求手段からの要求に応じて、前記着信メロディー候補記憶手段に登録されている曲の先頭部分の曲データだけを該子機に対して送信する曲データ先頭部分送信手段と、
前記子機の曲データ全体送信要求手段からの要求に応じて、前記着信メロディー候補記憶手段に登録している曲の中の特定の曲の全体の曲データを送信する曲全体データ送信手段とを備えていること
を特徴とする親子電話機。
【請求項３】
請求項２記載の親子電話機において、
前記子機の前記曲データ先頭部分送信要求手段が、前記親機に登録してある全ての曲の内の１曲についてだけ前記先頭部分の曲データの送信を要求する手段として構成されると共に、該子機は、既に送信要求した曲の次の曲について前記先頭部分の曲データを要求する次曲要求手段をも備え、
前記親機側の前記曲データ先頭部分送信手段は、前記子機側の前記曲データ先頭部分送信要求手段の送信要求を受けて前記１曲の先頭部分の曲データを送信した後に、前記次曲要求手段からの要求があったときは、該要求に応じて次の曲の先頭部分の曲データを送信する手段として構成されていること
を特徴とする親子電話機。
【請求項４】
請求項１〜３のいずれか記載の親子電話機において、
前記曲データが主旋律と複数の副旋律とからなる和音によって構成され、
前記親機は、前記先頭部分の曲データを子機へと送信する際に、前記主旋律と複数の副旋律とからなる和音によって構成された曲データの内、主旋律の先頭部分の曲データだけを送信する様に構成されていること
を特徴とする親子電話機。
【発明の詳細な説明】
【０００１】
【発明の属する技術分野】
本発明は、親子電話機に関するものである。
【０００２】
【従来の技術】
従来、公衆回線を介して曲データをダウンロードして登録することにより、所望のメロディーで着信を知らせる様にした電話機が知られている。こうした電話機として、親子電話機では、コードレス子機から親機にある曲データをダウンロードして登録することにより、子機においても所望の着信メロディーを使用することができる様にしたものもある。
【０００３】
【発明が解決しようとする課題】
ところで、こうした従来の親子電話機では、子機に着信メロディーを登録する際には、親機を呼び出して、親機でメロディーを再生させ、その再生音を子機で聞いて、気に入ったものを登録する方式が取られている。しかし、親機と子機では音源が相違するため、親機で再生した音質とは異なる音質で着信時に子機が鳴動することとなり、違和感を感じるという問題がある。
【０００４】
そこで、本発明は、親子電話機において、着信メロディーを子機側で選択する場合に、後で違和感を感じることがない様にすることを目的とする。
【０００５】
【課題を解決するための手段】
上記目的を達成するためになされた請求項１の親子電話機は、曲データを登録することにより、着信時に所望のメロディーを鳴動させる様にした親子電話機において、子機側に着信時のメロディーを登録するに際して、親機に登録してある曲の先頭部分の曲データだけを親機から子機へと送信させる曲データ先頭部分ダウンロード手段と、該ダウンロードされた曲の先頭部分の曲データを子機側で再生をする子機側再生手段と、該子機側再生手段による再生を確認した上で当該子機へ登録する曲の選択を行う子機側着信メロディー選択手段と、該子機側着信メロディー選択手段により選択された曲について、その全体の曲データを親機から子機へと送信させる曲データ全体ダウンロード手段とを備え、前記曲データ先頭部分ダウンロード手段が、親機に登録してある全ての曲の先頭部分の曲データを子機へと送信させる手段として構成され、前記子機側再生実行手段が、前記全ての曲の先頭部分の曲データの再生を実行する手段として構成されていることを特徴とする。
【０００６】
この請求項１の親子電話機によれば、子機側に着信時のメロディーを登録するに際して、曲データ先頭部分ダウンロード手段が、親機に登録してある曲の先頭部分の曲データだけを親機から子機にダウンロードする。すると、子機側再生手段が、こうしてダウンロードされた曲の先頭部分の曲データを子機側で再生する。従って、どの曲データが子機側でどの様な印象の着信メロディーとなるかが確実に把握できる。そして、子機側再生手段による再生を確認した上で、子機側着信メロディー選択手段を操作して、当該子機へ登録する曲の選択を行う。すると、曲データ全体ダウンロード手段が作動して、子機側着信メロディー選択手段により選択された曲について、その全体の曲データを親機から子機へとダウンロードする。以上の結果、子機に登録した着信メロディーがイメージと異なるといったことがなくなる。
【０００７】
また、この請求項１の親子電話機によれば、曲データ先頭部分ダウンロード手段が、親機にダウンロードしてある全ての曲の先頭部分の曲データを親機から子機にダウンロードする。そして、子機側再生実行手段が、全ての曲の先頭部分の曲データの再生を実行する。従って、子機の着信メロディーとして登録可能な曲の全てを確認して、ユーザが一番気に入ったものを子機の着信メロディーとして登録することができる。なお、親機から子機へダウンロードするのは曲の先頭部分の曲データだけとしているので、メモリ不足等を生じることなく、親機に登録してある全ての曲について、それらの先頭部分の曲データを親機から子機にダウンロードすることが可能になっている。
【０００８】
また、上記目的を達成するためになされた請求項２の親子電話機は、
親機と子機とを備え、親機及び子機のそれぞれにおいて、曲データを登録することにより、着信時に所望の着信メロディーを鳴動させる様にした親子電話機において、
前記子機側に、前記親機に対して、着信メロディーの候補曲の先頭部分の曲データだけの送信を要求する曲データ先頭部分送信要求手段と、前記親機から送信されてきた前記先頭部分の曲データを再生する先頭部分曲データ再生手段と、前記親機に対して、着信メロディーとして選択した曲の全体の曲データの送信を要求する曲データ全体送信要求手段と、前記親機から送信されてきた前記全体の曲データを着信メロディーとして登録する子機側着信メロディー記憶手段とを備え、
前記親機側に、該親機で着信メロディーとして使用し得る多数の曲の曲データを登録しておく着信メロディー候補記憶手段と、前記子機の曲データ先頭部分送信要求手段からの要求に応じて、前記着信メロディー候補記憶手段に登録されている曲の先頭部分の曲データだけを該子機に対して送信する曲データ先頭部分送信手段と、前記子機の曲データ全体送信要求手段からの要求に応じて、前記着信メロディー候補記憶手段に登録している曲の中の特定の曲の全体の曲データを送信する曲全体データ送信手段とを備えていること
を特徴とする。
【０００９】
また、請求項３の親子電話機は、請求項２記載の親子電話機において、前記子機の前記曲データ先頭部分送信要求手段が、前記親機に登録してある全ての曲の内の１曲についてだけ前記先頭部分の曲データの送信を要求する手段として構成されると共に、該子機は、既に送信要求した曲の次の曲について前記先頭部分の曲データを要求する次曲要求手段をも備え、前記親機側の前記曲データ先頭部分送信手段は、前記子機側の前記曲データ先頭部分送信要求手段の送信要求を受けて前記１曲の先頭部分の曲データを送信した後に、前記次曲要求手段からの要求があったときは、該要求に応じて次の曲の先頭部分の曲データを送信する手段として構成されていることを特徴とする。
【００１０】
この請求項３の親子電話機によれば、まず最初に、子機側の曲データ先頭部分送信要求手段が、親機に登録してある全曲の内の１曲についてだけ先頭部分の曲データを子機へと送信させる。そして、この１曲について、子機側で曲の先頭部分の曲データを再生する。ここで、この曲以外の曲を着信メロディーとしたい場合には、ユーザは、次曲要求手段を作動させて、親機に対して次の曲の先頭部分の曲データを送信する様に要求する。すると、親機側の曲データ先頭部分送信手段は、次曲要求手段からの要求に応じて次の曲の先頭部分の曲データを子機へと送信する。以上の処理を繰り返すことにより、ユーザが望む着信メロディーを子機に登録することができる。なお、これら請求項１〜３のいずれか記載の親子電話機は、さらに、前記曲データが主旋律と複数の副旋律とからなる和音によって構成され、前記親機は、前記先頭部分の曲データを子機へと送信する際に、前記主旋律と複数の副旋律とからなる和音によって構成された曲データの内、主旋律の先頭部分の曲データだけを送信する様に構成することができる。
【００１１】
【発明の実施の形態】
次に、本発明の実施の形態である親子電話機を図面に従って説明する。まず、親機の構成について、図１に基づいて説明する。親機１０は、ＣＰＵ１１を中心に、メモリ１３、キー入力モジュール１５、表示モジュール１７、無線モジュール１９、データコントロールモジュール２１、アンプ２３、マイク２５、スピーカ２７及びメロディ音源２９を備えている。メモリ１３には、公衆回線を介してダウンロードした多数の曲の曲データが記憶されている。この曲データは、ＣＰＵ１１により、メモリ１３から読み出され、メロディー音源２９、アンプ２３及びスピーカ２７を介して再生される。そして、この再生音を聞いた上で、親機１０の着信メロディーとしたい曲データを、キー入力モジュール１５から指定することにより、親機１０における着信メロディーの登録が実行される。
【００１２】
次に、子機の構成について、図２に基づいて説明する。子機３０は、ＣＰＵ３１を中心に、メモリ３３、キー入力モジュール３５、表示モジュール３７、無線モジュール３９、データコントロールモジュール４１、アンプ４３、マイク４５及びスピーカ４７を備えている。親機１０との違いはメモリ音源を備えていない点である。即ち、親機１０では、メロディ再生専用のＬＳＩからなるメロディ音源２９が備えられているのに対して、子機３０では、ＣＰＵ３１のソフトウェア処理のみによって、メロディが再生される様になっている。このメロディ音源の有無により、さらには、アンプやスピーカ等のハードウェアの相違により、同じ曲データを再生した場合に、親機１０と子機３０では異なる印象のものとなる。
【００１３】
次に、子機３０に対して着信メロディーを登録するための制御処理につき、図３，図４のフローチャートに従って第１の実施の形態を説明する。図３は親機１０側の制御処理を示している。親機１０は、まず、子機３０から選曲指示を受信したか否かを判断する（Ｓ１０）。そして、子機３０から選曲指示を受信した場合には（Ｓ１０：ＹＥＳ）、メモリ１３に記憶している曲データの中からｎ番目の曲データの先頭から５０バイト分だけを子機３０に送信する（Ｓ２０）。そして、次の曲があるか否かを判断し（Ｓ３０）、次の曲がある場合にはＳ２０へ戻る（Ｓ３０：ＹＥＳ）。こうして、メモリ１３に記憶している全ての曲について子機３０への送信が完了すると（Ｓ３０：ＮＯ）、子機３０に対して曲データの転送終了を送信する（Ｓ４０）。そして、子機３０から曲の先頭部分の曲データだけでなく特定の曲の全体の曲データの転送が指示されるのを待つ（Ｓ５０）。そして、子機３０から特定の曲の全体の曲データの転送指示があったら（Ｓ５０：ＹＥＳ）、指定された曲の全体の曲データを子機３０に対して送信する（Ｓ６０）。
【００１４】
一方、子機３０においては、図４に示す様に、選曲指示の操作がなされたか否かを判断する（Ｓ１００）。そして、選曲指示の操作がなされた場合には（Ｓ１００：ＹＥＳ）、親機１０に対して選曲指示を送信する（Ｓ１１０）。この選曲指示に対応して、上述のＳ２０〜Ｓ３０が繰り返されて、親機１０から送信されてくる曲の先頭部分の曲データを受信する（Ｓ１２０）。そして、親機１０から曲データ転送終了を受信したか否かを判断する（Ｓ１３０）。曲データ転送終了を受信するまでは（Ｓ１３０：ＮＯ）、親機１０から送信されてくる曲データを受信してメモリ３３に記憶する処理が繰り返し実行される（Ｓ１２０）。そして、親機１０から曲データ転送終了を受信したら（Ｓ１３０：ＹＥＳ）、ｎ番目の曲の再生を開始する（Ｓ１４０）。そして、選曲決定の操作がなされたか否かを判断する（Ｓ１５０）。選曲決定の操作がなされない場合には（Ｓ１５０：ＮＯ）、Ｓ１４０へ戻って次の曲の再生を実行する。こうして親機１０からダウンロードした曲の先頭部分の曲データの再生を子機３０で実行し、気に入った曲を選択する処理が実行される。そして、気に入った曲があり選曲決定の操作を行うと（Ｓ１５０：ＹＥＳ）、親機１０に対して、ｎ番目の曲の全体の曲データの転送を指示する（Ｓ１６０）。このＳ１６０の指示があると、前述したように親機１０は指定された曲の全体の曲データを子機３０に対して送信する（Ｓ６０）。そして、子機３０は、Ｓ６０で送信されてきた指定の曲の全体の曲データを受信し（Ｓ１７０）、当該データをメモリ３３に着信メロディーとして登録する曲登録処理を実行する（Ｓ１８０）。
【００１５】
以上説明した様に、第１の実施の形態によれば、親機１０にダウンロードされている曲の全てについて、頭の部分だけ（先頭部分の曲データ。本実施形態では先頭から５０バイト分だけ。）を子機３０に転送し、子機３０側で１曲ずつ再生し、実際に子機３０で再生したときのイメージに基づいて選曲を行うので、子機３０の着信メロディーとして登録した曲が、後で聞いたときにイメージと違っているといったことがない。また、親機１０から子機３０に転送するデータは曲の頭の部分だけなので、子機３０のメモリ３３に一旦記憶させる際にメモリ不足を生じないという効果もある。
【００１６】
次に、子機３０に対して着信メロディーを登録するための制御処理につき、図５，図６のフローチャートに従って第２の実施の形態を説明する。図５は親機１０側の制御処理を示している。親機１０は、まず、子機３０から選曲指示を受信したか否かを判断する（Ｓ２００）。そして、子機３０から選曲指示を受信した場合には（Ｓ２００：ＹＥＳ）、メモリ１３に記憶している曲データの中からｎ番目の曲データの先頭から５０バイト分だけを子機３０に送信する（Ｓ２１０）。そして、子機１０よりｎ番目の曲の全体の曲データの転送指示があったか否かを判断する（Ｓ２２０）。ここで、Ｓ２２０の判断がＮＯの場合にはＳ２００へ戻り、子機１０から次の選曲指示が送信されてきたか否かの判断を行う。一方、Ｓ２２０の判断において、子機３０から曲の先頭部分の曲データだけでなく特定の曲の全体の曲データの転送指示があったら（Ｓ２２０：ＹＥＳ）、指定された曲の全体の曲データを子機３０に対して送信する（Ｓ２３０）。
【００１７】
一方、子機３０においては、図６に示す様に、選曲指示の操作がなされたか否かを判断する（Ｓ３００）。そして、選曲指示の操作がなされた場合には（Ｓ３００：ＹＥＳ）、親機１０に対して選曲指示を送信する（Ｓ３１０）。この選曲指示に対応して、上述のＳ２１０が実行されて、親機１０から送信されてくる曲の先頭部分の曲データを受信する（Ｓ３２０）。続いて、Ｓ３２０で受信した曲の先頭部分の曲データの再生を実行する（Ｓ３３０）。そして、この曲を着信メロディーとして登録するための操作がなされたか否かを判断する（Ｓ３４０）。登録操作がなされない場合には（Ｓ３４０：ＮＯ）、再びＳ３００へ戻る。一方、登録操作がなされた場合には（Ｓ３４０：ＹＥＳ）、親機１０に対して、ｎ番目の曲の全体の曲データの転送を指示する（Ｓ３５０）。このＳ３５０の指示があると、前述したように親機１０は指定された曲の全体の曲データを子機３０に対して送信する（Ｓ２３０）。そして、子機３０は、Ｓ２３０で送信されてきた指定の曲の全体の曲データを受信し（Ｓ３６０）、当該データをメモリ３３に着信メロディーとして登録する曲登録処理を実行する（Ｓ３７０）。
【００１８】
以上説明した様に、第２の実施の形態によれば、親機１０にダウンロードされている曲データの中から１曲ずつその頭の部分（先頭部分の曲データ。本実施形態でも先頭から５０バイト分だけ。）を子機３０に転送し、子機３０で実際に再生し、実際に子機３０で再生したときのイメージに基づいて選曲を行うので、子機３０の着信メロディーとして登録した曲が、後で聞いたときにイメージと違っているといったことがない。
【００１９】
以上、本発明の一実施の形態について説明したが、本発明はこの実施の形態に限られるものではなく、その要旨を逸脱しない範囲内においてさらに種々の形態を採用することができることはもちろんである。
【００２０】
例えば、親機では、メロディ再生専用のＬＳＩを備えているため、主旋律と複数の副旋律とからなる和音を再生することが可能であるのに対して、子機では、単音（主旋律）のみが再生可能であるとした場合、着信メロディーの選択に際しては、親機に記憶されている曲（和音）の主旋律の先頭部の曲データのみを親機から子機にダウンロードするようにすればよい。
【００２１】
また、子機側で再生可能な副旋律の数が親機よりも少ない場合であれば、子機側で再生可能な分の副旋律のデータのみをダウンロードするようにすればよいし、親機と同等の和音再生機能を子機側でも持つ場合であれば、主旋律と副旋律の全ての曲の先頭部分の曲データを子機側にダウンロードするようにすればよい。
【００２２】
特に、前者の場合であれば、親機による和音再生で気に入ったとしても、子機による単音再生等ではそうでもない場合が往々にしてあるので、実際に子機で再生した状態で曲を選択できるという効果は大きい。また、後者の様に同等の和音再生機能を持つ場合であっても、アンプやスピーカ等のハードウェアの相違から生ずる音色の違いを実際に確認することができるという効果がある。
【００２３】
なお、上記の実施形態では、公衆回線から曲データをダウンロードするようにしているが、例えば、パーソナルコンピュータ等と接続可能な機能を持つ電話機であれば、パーソナルコンピュータ等からダウンロードした曲データに対しても同様に適応することができるし、キー入力モジュールを利用して好みの曲データを登録する機能を持つ電話機であれば、キー入力した曲データに対しても適応可能である。
【００２４】
また、子機側で再生するメロディーの利用形態としては、交換機からの呼出に応答して鳴動する着信メロディー以外に、例えば、親機と子機間、あるいは子機間同士の呼出（着信）メロディー等にも利用可能である。
【００２５】
【発明の効果】
以上説明した様に、本発明によれば、親子電話機において、着信メロディーを子機側で選択する場合に、後で違和感を感じることがないという効果が発揮される。
【図面の簡単な説明】
【図１】  実施の形態の親子電話機の親機の構成を示すブロック図である。
【図２】  実施の形態の親子電話機の子機の構成を示すブロック図である。
【図３】  第１の実施の形態としての親機側の制御処理の内容を示すフローチャートである。
【図４】  第１の実施の形態としての子機側の制御処理の内容を示すフローチャートである。
【図５】  第２の実施の形態としての親機側の制御処理の内容を示すフローチャートである。
【図６】  第２の実施の形態としての子機側の制御処理の内容を示すフローチャートである。
【符号の説明】
１０・・・親機、１１・・・ＣＰＵ、１３・・・メモリ、１５・・・キー入力モジュール、１７・・・表示モジュール、１９・・・無線モジュール、２１・・・データコントロールモジュール、２３・・・アンプ、２５・・・マイク、２７・・・スピーカ、２９・・・メロディ音源、３０・・・子機、３１・・・ＣＰＵ、３３・・・メモリ、３５・・・キー入力モジュール、３７・・・表示モジュール、３９・・・無線モジュール、４１・・・データコントロールモジュール、４３・・・アンプ、４５・・・マイク、４７・・・スピーカ。
【図１】
0003835108.tif 000002
【図２】
0003835108.tif 000003
【図３】
0003835108.tif 000004
【図４】
0003835108.tif 000005
【図５】
0003835108.tif 000006
【図６】
0003835108.tif 000007